(57)【要約】【課題】電光表示ユニットをユニット取り付け枠の前面側および背面側のいずれからも取り外し可能な電光表示ユニットの固定構造を提案すること。【解決手段】電光表示ユニット３には、その背面に開口しているナット装着穴４１が形成され、ここには背面側から着脱可能にナット４２が装着されている。ナット装着穴４１と同軸状に、電光表示ユニット３の前面からナット装着穴４１まで延びているケース側ネジ穴４６が形成されている。ユニット取り付け枠２に形成した固定側ネジ穴４４を通して、背面側固定ネジ４７が背面側からナット４２にねじ込み固定されている。電光表示ユニット３の前面側からケース側ネジ穴を通して、前面側固定ネジ４８がナット４２に反対側からねじ込み固定されている。背面側固定ネジ４７あるいは前面側固定ネジ４８を緩めて外せば、電光表示ユニット３を背面側あるいは前面側から外すことができる。【選択図】図４
2008052159.tif 000002
【特許請求の範囲】
【請求項１】
前面に複数の発光部が配列されている電光表示ユニットを、建物の壁面などに固定されているユニット取り付け部材に固定するための電光表示ユニットの固定構造であって、
前記電光表示ユニットに形成され、当該電光表示ユニットの背面に開口しているナット装着穴と、
このナット装着穴に前記電光表示ユニットの背面側から着脱可能に装着されたナットと、
前記電光表示ユニットにおいて前記ナット装着穴と同軸状に形成され、当該電光表示ユニットの前面から前記ナット装着穴にまで延びているケース側ネジ穴と、
前記ユニット取り付け部材に形成した固定側ネジ穴と、
前記電光表示ユニットの背面側から前記固定側ネジ穴を通して前記ナットにねじ込み固定されている背面側固定ネジと、
前記電光表示ユニットの前面側から前記ケース側ネジ穴を通して前記ナットにねじ込み固定されている前面側固定ネジとを備えていることを特徴とする電光表示ユニットの固定構造。
【請求項２】
請求項１において、
前記ユニット取り付け部材は、前記電光表示ユニットの背面の外周縁部分に当接する枠状部と、当該枠状部によって囲まれている開口部とを備え、前記枠状部における複数の個所に前記固定側ネジ穴が形成されており、
前記電光表示ユニットにおける各固定側ねじ穴に対応する部位に、前記ナット装着穴および前記ケース側ネジ穴が形成されており、
前記電光表示ユニットを、前記ユニット取り付け部材の前記開口部を通して当該ユニット取り付け部の背面側に取り出すことが可能となっていることを特徴とする電光表示ユニットの固定構造。
【請求項３】
請求項２において、
前記電光表示ユニットは矩形の輪郭形状のものであり、
前記ユニット取り付け部材に形成されている前記枠状部は一定幅の矩形枠部であり、前記開口部は矩形開口部であることを特徴とする電光表示ユニットの固定構造。
【請求項４】
請求項３において、
前記ユニット取り付け部材には前記矩形開口部が一定間隔で縦横に形成されており、
複数の前記電光表示ユニットを取り付け可能であることを特徴とする電光表示ユニットの固定構造。
【請求項５】
請求項１ないし４のうちのいずれかの項において、
前記電光表示ユニットは、
前後に開口している枠状ケースと、
この枠状ケースの前面に取り付けた前面パネルと、
この前面パネルにマトリックス状に形成した発光用貫通穴と、
前記前面パネルの背面側に配置され、ＬＥＤあるいはＬＥＤ群がマトリックス状に搭載されているＬＥＤ基板とを備え、
各ＬＥＤあるいは各ＬＥＤ群が、前記前面パネルの各発光用貫通穴から前方に露出していることを特徴とする電光表示ユニットの固定構造。
【請求項６】
請求項５において、
前記ＬＥＤ基板にはマトリックス状に複数組のＬＥＤ群が搭載されており、
各ＬＥＤ群は、赤色発光ＬＥＤ、青色発光ＬＥＤおよび緑色発光ＬＥＤから構成されていることを特徴とする電光表示ユニットの固定構造。
【請求項７】
前面に複数の発光部が配列されている電光表示ユニットと、建物の壁面などに固定されるユニット取り付け部材とを有し、当該ユニット取り付け部材に前記電光表示ユニットが固定されている電光表示装置において、
請求項１ないし６のうちのいずれかの項に記載の固定構造によって、前記電光表示ユニットが前記ユニット取り付け部材に固定されていることを特徴とする電光表示装置。
【発明の詳細な説明】
【技術分野】
【０００１】
本発明は、街角などに設置され、各種の広告、宣伝用の文字や画像を表示するために用いる電光表示装置に関するものである。更に詳しくは、建物の壁面などに取り付けたユニット取り付け部材に、１台あるいは複数台の電光表示ユニットが取り付け固定された構成の電光表示装置において、電光表示ユニットをユニット取り付け部材の前面側あるいは背面側のいずれからも取り外すことができるようにした電光表示ユニットの固定構造に関するものである。
【背景技術】
【０００２】
電光表示装置は、縦横あるいは斜めに所定ピッチで配列されたＬＥＤなどの発光体を備え、各発光体を選択的に点滅駆動することにより、文字や画像を表示するように構成されている。このような電光表示装置は特許文献１、２に開示されている。
【０００３】
電光表示装置は、一般に、建物の外壁などに取り付けられるユニット取り付け枠と、このユニット取り付け枠の前面に取り付け固定される電光表示ユニットから構成されている。大型の電光表示装置の場合には、ユニット取り付け枠の前面に、多数台の電光表示ユニットを縦横に繋ぎ合わせた構成とされる。
【０００４】
この構成の電光表示装置を建物の屋上の外壁などに取り付ける作業においては、足場などを組み、外壁に固定したユニット取り付け枠に対して外側から電光表示ユニットが締結ネジなどによって締結固定される。設置されている電光表示装置の保守点検作業などにおいても同様に外壁の外側から電光表示ユニットをユニット取り付け枠から外すようにしている。
【特許文献１】特開２００５−２９２５５５号公報
【特許文献２】特開２００５−２０２３０１号公報
【発明の開示】
【発明が解決しようとする課題】
【０００５】
このように、従来の電光表示装置では、電光表示ユニットを外側から取り外す必要がある。このため、高い場所に電光表示装置が設置されている場合には足場を組む必要があり、また、高所での作業なので作業効率が悪く、安全性の点でも問題がある。
【０００６】
本発明の課題は、このような点に鑑みて、電光表示ユニットをユニット取り付け枠の外側(前面側)および内側(背面側)のいずれからも取り外し可能な電光表示ユニットの固定構造を提案することにある。
【課題を解決するための手段】
【０００７】
上記の課題を解決するために、本発明は、前面に複数の発光部が配列されている電光表示ユニットを、建物の壁面などに固定されているユニット取り付け部材に固定するための電光表示ユニットの固定構造であって、
前記電光表示ユニットに形成され、当該電光表示ユニットの背面に開口しているナット装着穴と、
このナット装着穴に前記電光表示ユニットの背面側から着脱可能に装着されたナットと、
前記電光表示ユニットにおいて前記ナット装着穴と同軸状に形成され、当該電光表示ユニットの前面から前記ナット装着穴にまで延びているケース側ネジ穴と、
前記ユニット取り付け部材に形成した固定側ネジ穴と、
前記電光表示ユニットの背面側から前記固定側ネジ穴を通して前記ナットにねじ込み固定されている背面側固定ネジと、
前記電光表示ユニットの前面側から前記ケース側ネジ穴を通して前記ナットにねじ込み固定されている前面側固定ネジとを備えていることを特徴としている。
【０００８】
本発明の電光表示ユニットの固定構造では、電光表示ユニットの背面側から背面側固定ネジを緩めて外すと、電光表示ユニットをユニット取り付け部材から外すことができる。また、電光表示ユニットの前面側から前面側固定ネジを緩めて外すと、ナットには背面側固定ネジがねじ込まれたままであるが、この状態のままナットをナット装着穴から電光表示ユニットの背面側に引抜可能になる。換言すると、背面側固定ネジを、ユニット取り付け部材の固定側ネジ穴を通ってナットにねじ込み固定された状態のまま残して、電光表示ユニットを前方に外すことができる。
【０００９】
ここで、本発明では、前記ユニット取り付け部材は、前記電光表示ユニットの背面の外周縁部分に当接する枠状部と、当該枠状部によって囲まれている開口部とを備え、前記枠状部における複数の個所に前記固定側ネジ穴が形成されており、前記電光表示ユニットにおける各固定側ねじ穴に対応する部位に、前記ナット装着穴および前記ケース側ネジ穴が形成されており、前記電光表示ユニットを、前記ユニット取り付け部材の前記開口部を通して当該ユニット取り付け部の背面側に取り出すことが可能となっていることを特徴としている。
【００１０】
この構成の場合には、ユニット取り付け部材の背面側から背面側固定ネジを緩めて外すことにより電光表示ユニットをユニット取り付け部材から外した後に、電光表示ユニットをユニット取り付け部材の開口部から背面側に取り出すことができる。したがって、建物などの外壁部分に電光表示ユニットが取り付けられている場合には、建物の内側から電光表示ユニットを外すことができ、また、外した電光表示ユニットを建物の内側に取り込むことができる。
【００１１】
一般的には、前記電光表示ユニットは矩形の輪郭形状のものとされる。この場合には、前記ユニット取り付け部材に形成されている前記枠状部は一定幅の矩形枠部とされ、前記開口部は矩形開口部とされる。
【００１２】
また、大型の電光表示装置の場合には、前記ユニット取り付け部材に前記矩形開口部を一定間隔で縦横に形成して、複数の前記電光表示ユニットを取り付け可能とすればよい。
【００１３】
次に、前記電光表示ユニットは、
前後に開口している枠状ケースと、
この枠状ケースの前面に取り付けた前面パネルと、
この前面パネルにマトリックス状に形成した発光用貫通穴と、
前記前面パネルの背面側に配置され、ＬＥＤあるいはＬＥＤ群がマトリックス状に搭載されているＬＥＤ基板とを備え、
各ＬＥＤあるいは各ＬＥＤ群が、前記前面パネルの各発光用貫通穴から前方に露出している構成とすることができる。
【００１４】
この場合、フルカラー表示を行うためには、前記ＬＥＤ基板にマトリックス状に複数組のＬＥＤ群を搭載し、各ＬＥＤ群を、赤色発光ＬＥＤ、青色発光ＬＥＤおよび緑色発光ＬＥＤから構成すればよい。
【００１５】
次に、本発明は、前面に複数の発光部が配列されている電光表示ユニットと、建物の壁面などに固定されるユニット取り付け部材とを有し、当該ユニット取り付け部材に前記電光表示ユニットが固定されている電光表示装置において、上記の固定構造によって、前記電光表示ユニットが前記ユニット取り付け部材に固定されていることを特徴としている。
【発明の効果】
【００１６】
本発明では、ユニット取り付け部材に対して、電光表示ユニットがその前面側および背面側から取り外し可能な状態で固定されている。したがって、高所に設置されている電光表示ユニットなどの保守点検作業の作業性を改善できる。
【発明を実施するための最良の形態】
【００１７】
以下に、図面を参照して、本発明を適用した電光表示装置の一例を説明する。
【００１８】
図１(ａ)は電光表示装置の概略斜視図であり、図１(ｂ)は電光表示ユニットを取り外した状態を示す説明図である。図２(ａ)〜(ｃ)は、電光表示ユニット３を示す正面図、平面図および縦断面図である。図３(ａ)および(ｂ)は、電光表示ユニット３を前側から見た場合の斜視図および背面側から見た場合の斜視図である。
【００１９】
本例の電光表示装置１は、建物の外壁などに取り付けられる金属製のユニット取り付け枠２と、このユニット取り付け枠２の前面に取り付けられている６台の電光表示ユニット３とを有している。ユニット取り付け枠２は長方形輪郭のものであり、その横長の矩形の前面パネル部分には縦２列、横３行の合計６個の矩形開口部２１が形成されており、これらの矩形開口部２１が一定幅の縦枠部２２および横枠部２３によって囲まれている。
【００２０】
電光表示ユニット３は矩形開口部２１よりも一回り大きな矩形の輪郭形状をしており、その前面には縦１６列、横６行の発光用貫通穴３１が形成されている。各発光用貫通穴３１からは縦に並べた３個のＬＥＤ３２(１)〜３２(３)が露出している。ＬＥＤ３２(１)〜３２(３)は赤色発光ＬＥＤ、緑色発光ＬＥＤおよび青色発光ＬＥＤであり、フルカラー表示が可能となっている。
【００２１】
電光表示ユニット３は、前後に開口している矩形の枠状ケース３３と、この枠状ケース３３の前面に取り付けた前面パネル３４とによって、そのユニットケースが構成されている。前面パネル３４にはマトリックス状に縦長の発光用貫通穴３１が形成されている。前面パネル３４の背面側は、３個のＬＥＤ３２(１)〜３２(３)からなるＬＥＤ群がマトリックス状に搭載されているＬＥＤ基板３５が配置されており、各ＬＥＤ群が前面パネル３４の各発光用貫通穴３１から前方に露出している。
【００２２】
枠状ケース３３の背面にはその四周縁に沿って矩形枠状の背板部３３ａが一体形成されており、この背板部３３ａの内周縁からは背面側に向けて矩形枠状の突出部３３ｂが直角に突出している。この突出部３３ｂがユニット取り付け枠２の矩形開口部２１に差込可能な寸法とされている。突出部３３ｂには２本の縦リブ３３ｃが一体形成されている。また、背板部３３ａの背面には矩形枠状の凹部が形成されており、ここに着脱自在に装着された矩形枠板３６(図３(ｂ)参照)を挟み、当該矩形枠状背板部３３ａがユニット取り付け枠２における矩形開口部２１を取り囲んでいる縦枠部２２および横枠部２３に、後述のようにネジによって固定されている。
【００２３】
前面パネル３４の表面には、各発光用貫通穴３１の間に、わずかに突出した縦リブ３４ａが形成されている。また、各発光用貫通穴３１の上側位置には横方向に水平に延びる庇板３４ｂが形成されている。
【００２４】
次に、図４は、電光表示ユニット３をユニット取り付け枠２に固定するための固定構造を示す部分断面図および説明図である。電光表示ユニット３の枠状ケース３３には、その背板部３３ａの部位に、背面側に開口している六角形断面のナット装着穴４１が形成されている。ナット装着穴４１には、電光表示ユニット３の背面側から六角ナット４２が着脱可能な状態で装着されている。六角ナット４２の長さはナット装着穴４１の深さと同一とされている。
【００２５】
ナット装着穴４１に対峙する矩形枠板３６には、当該ナット装着穴４１と同軸状態となるようにネジ穴４３が形成されている。また、このネジ穴４３に対峙するユニット取り付け枠２の縦枠部２２および横枠部２３の部位にも、同軸状態で固定側ネジ穴４４が形成されている。すなわち、本例では、図１(ｂ)から分かるように、各電光表示ユニット３を固定するために、１０箇所に固定側ネジ穴４４が形成されている。したがって、これらに対応する個数のネジ穴４３およびナット装着穴４１がそれぞれ矩形枠板３６および枠状ケース３３における対応する部位に形成されている。
【００２６】
一方、電光表示ユニット３の枠状ケース３３に形成されているナット装着穴４１の底面からは同軸状態で円筒部４４が前面パネルの背面まで延びている。この円筒部４４の内部がナット装着穴４１に同軸状態で連通しているネジ穴４５とされている。また、前面パネル３４におけるネジ穴４５に対峙している部位には、それぞれ、同軸状態でケース側ネジ穴４６が形成されている。
【００２７】
さらに、電光表示ユニット３の背面側からは、ユニット取り付け枠２の固定側ネジ穴４４、矩形枠板３６のネジ穴４３を通して、背面側固定ネジ４７が差し込まれ、六角ナット４２にねじ込み固定されている。また、電光表示ユニット３の前面側からは、前面パネル３４のパネル側ネジ穴４６およびネジ穴４５を通して、前面側固定ネジ４８が差し込まれ、六角ナット４２の反対側からネジ込み固定されている。
【００２８】
この構成の電光表示ユニット３の固定構造においては、ユニット取り付け枠２の背面側および前面側のいずれからも電光表示ユニット３を取り外すことができる。背面側から電光表示ユニット３を取り外す場合には、背面側固定ネジ４７を緩めて外せばよい。また、前面側から電光表示ユニット３を取り外す場合には、前面側固定ネジ４８を緩めて外せばよい。前面側固定ネジ４８を外すと、六角ナット４２はナット装着穴４１から背面側に取り外し可能になる。したがって、ユニット取り付け枠２に背面側固定ネジ４７および六角ナット４２を残した状態で、電光表示ユニット３を前方に取り外すことができる。
【００２９】
ここで、電光表示ユニット３をユニット取り付け枠２の背面側から取り外した場合には、ユニット取り付け枠２の矩形開口部２１から背面側に電光表示ユニット３を引き出すことができる。すなわち、電光表示ユニット３を横に倒し、その状態で短辺側の端から矩形開口部２１に通して背面側に引き出すことができる。したがって、建物の外壁などに電光表示装置１が取り付けられている場合には、建物の内側にいながら、電光表示ユニット３をユニット取り付け枠２から取り外して、建物内部に取り出すことができる。よって、電光表示ユニット３の保守点検などのために行う取り外し作業を簡単かつ安全に行うことができる。なお、取り外した電光表示ユニット３をユニット取り付け枠２に固定する作業も、取り外した背面側固定ネジ４７あるいは前面側固定ネジ４８をナット４２にねじ込み固定すればよい。
【図面の簡単な説明】
【００３０】
【図１】(ａ)は本発明を適用した電光表示装置の概略斜視図であり、(ｂ)は電光表示ユニットを取り外した状態を示す説明図である。
【図２】(ａ)〜(ｃ)は、電光表示ユニットを示す正面図、平面図および縦断面図である。
【図３】(ａ)および(ｂ)は、電光表示ユニットを前側から見た場合の斜視図および背面側から見た場合の斜視図である。
【図４】(ａ)および(ｂ)は、電光表示ユニットをユニット取り付け枠に固定するための固定構造を示す部分断面図および説明図である。
【符号の説明】
【００３１】
１    電光表示装置
２    ユニット取り付け枠
２１  矩形開口部
２２  縦枠部
２３  横枠部
３    電光表示ユニット
３１  発光用貫通穴
３２(１)〜３２(３)  ＬＥＤ
３３  枠状ケース
３３ａ  背板部
３３ｂ  突出部
３３ｃ  縦リブ
３４  前面パネル
３４ａ  縦リブ
３４ｂ  庇板
３５  ＬＥＤ基版
３６  矩形枠板
４１  ナット装着穴
４２  六角ナット
４３  ネジ穴
４４  固定側ネジ穴
４５  ネジ穴
４６  ケース側ネジ穴
４７  背面側固定ネジ
４８  前面側固定ネジ
【図１】
2008052159.tif 000003
【図２】
2008052159.tif 000004
【図３】
2008052159.tif 000005
【図４】
2008052159.tif 000006